(57)【特許請求の範囲】
【請求項１】
唇に液体化粧料を塗布するリップアプリケーターにおいて、
両唇で挟むことのできる扁平形状であり、表面側及び裏面側における両唇で挟んだ際に両唇の中央が接する部位の近傍に該液体化粧料が圧出される吐出口を設け、該吐出口の周辺部分から前方端に至る部分に部分球状の曲面を有する凹状部を設けてなる塗布部と、
中空の容器であって、容器内に収納した液体化粧料に圧を加えることで、該液体化粧料を該塗布部へ導流する首部を有している収納部とを備える、リップアプリケーター。
【請求項２】
片面毎の前記吐出口の面積の合計が０．２〜６５ｍｍ2である、請求項１に記載のリップアプリケーター。
【請求項３】
前記凹状部の幅が１０〜５０ｍｍである、請求項１又は２に記載のリップアプリケーター。
【請求項４】
前記塗布部と前記収納部の各々の接合方向の端面に対応する形状の板状部の周縁に、該板状部と直角に帯状部を設けた形状を有し、該板状部には前記収納部の前記首部を通す為の貫通穴を設けている連結部と備える、請求項１〜３のいずれか１項に記載のリップアプリケーター。
【請求項５】
前記塗布部の裏面側の前記吐出口の１個における面積が、前記塗布部の前記表面側の前記吐出口の１個における面積よりも小さい、請求項１〜４のいずれか１項に記載のリップアプリケーター。
【請求項６】
前記凹状部の表面に液溜まり部があり、該液溜まり部は、複数の凹溝、或いは複数の凸部によりなる、請求項１〜５のいずれか１項に記載のリップアプリケーター。
【発明の詳細な説明】
【技術分野】
【０００１】
本発明は、リップアプリケーターに関する。
【背景技術】
【０００２】
従来、リップグロス等の液体化粧料を唇に塗布するには、棒状の塗布体を使用したり、チューブや回転繰り上げ式の容器から圧出させた液体化粧料をアプリケーターを介して、上下の唇の各々に塗布する方法によるのが、一般的であった。
しかしながら、これらの方法では、狭い塗布部で塗り広げる必要があり、かつ上下の唇に塗り広げる必要があるため時間がかかり、必ずしも簡便な方法ではなかった。
【０００３】
これに対し、両唇による圧縮により弾性変形し、且つ両唇の形状に合致した、微粉状または液状からペースト状の化粧料を含浸することのできる使用面を有する、平坦な支持部材を備え、その使用面を使用者が両唇で挟むことにより、両唇に同時に化粧料を塗布するメークアップ装置が提案されている。（特許文献１参照）
【０００４】
しかし、特許文献１の装置は、一回限りの使い捨てメークアップ装置とする態様と、使用されていない場合に支持部材が浸されるようにされた化粧料用リザーバーを備えた多数回使用可能な装置とする態様とが開示されているが、一回限りの使い捨ての態様は、化粧料を含浸させた使用面は化粧料が露出しているため、乾燥等を避けるために密閉状態にする必要があり、多数回使用可能な態様は、構造が複雑となり、サイズも大きくなる。
更に又、特許文献１の装置では、唇の全体に化粧料が塗布される形となるが、リップグロス等で好んで行われるような、唇の中心部周辺のみに塗布したいという要望に対応することはできない。
【先行技術文献】
【特許文献】
【０００５】
【特許文献１】特許第２９１１４３０号公報
【発明の概要】
【発明が解決しようとする課題】
【０００６】
本発明は、液体化粧料を、上下の唇に対し、１動作で、同時に、かつ広い面ですばやく簡便に塗布することができ、且つコンパクトなリップアプリケーターを提供することを課題とする。
【課題を解決するための手段】
【０００７】
本発明者は、塗布部の両表面に設けた吐出口から塗布部の表面に液体化粧料が圧出される構造とすることにより、前記課題を解決した。
即ち本発明は、唇に液体化粧料を塗布するリップアプリケーターにおいて、扁平形状の塗布部の両表面に吐出口があり、その周囲に液体化粧料を広げるための区画を設けてなる、リップアプリケーターである。
【発明の効果】
【０００８】
本発明により、液体化粧料を、上下の唇に対して１動作で、同時に、かつ広い面ですばやく簡便に塗布することができ、且つコンパクトなリップアプリケーターを提供することができる。
【図面の簡単な説明】
【０００９】
【図１】本発明のリップアプリケーターの１例の斜視図である。
【図２】図１のリップアプリケーターの塗布部の斜視図である。
【図３】図１のリップアプリケーターの収納部の斜視図である。
【図４】図１のリップアプリケーターの連結部の斜視図である。
【図５】図１のリップアプリケーターの、右半分を断面図とした平面図である。
【図６】図１のリップアプリケーターの、上半分を断面図とした右側面図である。
【図７】塗布部を覆うカバーを設けたリップアプリケーターの１例の、カバーを半裁した形で示した、斜視図である。
【図８】図７のリップアプリケーターの１例を、全体を半裁した形で示した、斜視図である。
【発明を実施するための形態】
【００１０】
以下、本発明のリップアプリケーターを、図１〜８により説明する。
リップアプリケーター１は、塗布部２、収納部３及び連結部４で構成している。
塗布部２は、両唇で挟むことのできる扁平形状であり、両表面における両唇で挟んだ際に両唇の中央が接する部位の近傍に吐出口２１を設け、更に、吐出口２１の周辺部分から塗布部２の前方端に至る部分に部分球状の曲面を有する凹状部２２を設けている。
収納部３は、中空の容器であって、塗布部２を固定しかつ収納した液体化粧料を導流する首部３１を有している。
連結部４は、塗布部２と収納部３の各々の接合方向の端面に対応する形状の板状部４１の周縁に板状部４１と直角に帯状部４２を設けた形状を有し、板状部４１には収納部３の首部３１を通す為の貫通穴４３を設けている。
【００１１】
リップアプリケーター１は、収納部３の首部３１を連結部４の貫通穴４３を経て塗布部２の挿入穴２３に挿入することにより形成する。
図５及び図６に示すように、塗布部２の挿入穴２３は、吐出口２１の内側に至るまで連続しており、液体化粧料の流路を形成している。
而して、本発明のリップアプリケーター１を使用する場合には、収納部３内の液体化粧料に圧を加えて、塗布部２の両表面の各々に設けた２つの吐出口２１から適量の液体化粧料を圧出させた後、塗布部２の凹状部２２を両唇で挟むことにより、両唇に液体化粧料を塗布することができる。唇に液体化粧料がはみ出さずに適量を塗布するためには、塗布部２が唇の挟み圧により追随して形が変化することのない程度の硬さにすることが好ましい。
【００１２】
塗布部２における吐出口２１の形状は、両唇で挟んだ際に両唇の中央が接する部位から、リップアプリケーター１を口内に挿入する方向に対して直角に交差する直線状又は弧状であるのが唇で挟む事により液体化粧料を広げるという観点から好ましい。吐出口２１は片面に数個あってもよい。
液体化粧料を唇に塗布する方法は、液体化粧料の種類により、唇の中心のみに塗布する場合だけではなく、唇の中心に塗布した後で両唇を摺り合わせて塗り広げる場合や、唇全体に塗布する場合等、種々あるので、片面毎の吐出口２１の面積（開口面積）の合計は、液状化粧料の粘度等に応じて調整する必要があるが、０．２〜６５ｍｍ2が唇における塗布領域を調節する観点からは好ましい。なお、前記数値は、吐出口２１がスリットの場合は開口した際の面積とする。
【００１３】
吐出口２１のアプリケーター先端部からの距離は、５〜１５ｍｍが唇に挟んだ際に適切な部位に液体化粧料が付着するため、好ましい。
又、裏面側の吐出口２１から圧出された液状化粧料が液体化粧料の粘度によっては滴下する恐れがあるが、その場合には、裏面側の吐出口２１の1個における面積を表面側の吐出口２１の1個における面積よりも小さくすることも有効である。なお、「表面」は、上唇が当たる面を意味し、「裏面」は、下唇が当たる面を意味する。
更に、裏面側の吐出口２１又は全ての吐出口２１をスリットにし、唇に塗布する際に開口して液体化粧料が吐出される形にする事は、液体化粧料の滴下の恐れに対して有効である。
【００１４】
塗布部２における凹状部２２は、口を軽く開けることにより、口の中に挿入でき、両唇で挟み易くする部分であり、その厚み（表面から裏面までの厚み）は、１〜１０ｍｍが適当であり、その幅は、１０〜５０ｍｍが適当である。なお、凹状部２２の表面に液溜まり部を設ける事は、一度で満遍なく液体化粧料を塗布するのに有効である。液溜まり部は複数の凹溝、或いは複数の凸部を設けることによる。凹溝、凸部ともに点状であっても線状であっても差し支えない。
図７及び８では、液溜まり部２４に多数の点状の凸部２５を設けた状態を示している。
但し、塗布部２全体が前記の厚みと幅のものであれば、凹状部２２は必ずしも設けなくともよい。
【００１５】
収納部３は、前記のように、塗布部２の吐出口２１から液体化粧料を圧出させるために、収納した液体化粧料に圧を加えることのできるものである必要があり、例えば目薬容器のように、指で挟むことにより弾性変形して液体化粧料に圧を加える形のものが適当であるが、繰り出し機構を有するものやボトル、チューブ等の、同等の機能を有するものであっても、差し支えない。圧出や塗布の簡便さという観点ではボトルやチューブが好ましく、吐出量調節の簡便さという観点からは、繰り出し機構を有するものとするのが好ましい。
【００１６】
連結部４は、塗布部２と収納部３とを両側から挿着させて固定すると共に、塗布部２と収納部３との連結箇所を、装飾的に隠す役割を有するものであるが、塗布部２と収納部３とを確実に固定でき、首部３１を中心に回転する等のことが起こらないのであれば、必ずしも用いなくとも差し支えない。
収納部３を不用意に押すことで液体化粧料が圧出されないために、ロック機構（閉鎖機構）を設けることが好ましい。ロック機構としては、通常に採用される形式のもので差し支えなく、例えば中栓のようなもので、液体化粧料の流路を閉鎖／開放する形式のものを挙げることができる。
【００１７】
ロック機構を作動させる方式としては、リップアプリケーターの構成要素の一部を回転させる回転式とリップアプリケーターの構成要素の一部を引き上げる（スライドさせる）引き上げ式がある。円筒状であれば回転式でもよいが、扁平形状のリップアプリケーターの場合は、引き上げる形式のほうが好ましい。
引き上げ式においては、引き上げない場合は閉鎖されて気密を確保し、引き上げると液状化粧料の流路が開放され、圧出させることが可能となる構成をとる事ができる。一方で引き上げない場合は液状化粧料の流路が開放され、圧出させることが可能となり、引き上げると閉鎖されて気密を確保することが可能となる構成もとる事ができる。
【００１８】
回転式は、流路の閉鎖／開放を行う部位（中栓）を回転で移動させる方式であるが、時計方向に回転させた場合は液状化粧料の流路が閉鎖されて気密を確保し、反時計方向に回転させた場合は、液状化粧料の流路が開放され、圧出させることが可能となる構成をとる事ができる。一方で、時計方向に回転させた場合は液状化粧料の流路が開放されて、圧出させることが可能となり、反時計方向に回転させた場合は閉鎖されて気密を確保することが可能となる構成もとる事ができる。
【００１９】
図１〜８に示す例では、リップアプリケーター１は、全体として、外周縁が薄く中央部分が膨らんだ円盤と類似する形状を有しており、塗布部２及び収納部３は、それを半裁したような形状となっているが、必ずしもこれに限られるものではない。但し、塗布部２の方は、両唇で挟むには、このように、端部が弓形の形状が好ましいが、収納部３の方は、前記したように、繰り出し機構を有するものや、チューブ状や平面が円形、三角形、正方形、長方形、多角形その他の任意の形状のボトルを採用することができる。
又、図１〜８に示す例では、塗布部２は中実に成形しているが、吐出口２１及び挿入穴２３を設けてあれば、中空に成形しても差し支えない。
【００２０】
なお、リップアプリケーター１の全体や、塗布部２及び／又は収納部３を覆うカバーを設け、収納部３を不用意に押して液体化粧料を圧出させてしまったり、吐出口２１付近に残った液体化粧料に触れて衣服等を汚すこと等を防止することが適当である。カバーの固定及び気密を担保するため、両表面の吐出口２１を挟み込むように嵌合させるカバーを設ける事が好ましい。
図７及び８に示したのは、塗布部２を覆うカバー５を設けた例であり、カバー５は、開口端を連結部４の帯状部４２の片側に被せる形に挿入する形となっている。また、カバー５には、表面側の吐出口２１及び裏面側の吐出口２１に蓋をする２つの中足部５１を設けている。中足部５１は吐出口２１に蓋をするような形で挟み込む事が好ましい。
この形状のカバーであれば、挟み込むためカバーの固定としても優れており、また吐出口２１に蓋をするような形で挟み込むため、収納部３を不用意に押して液体化粧料を圧出させてしまうこと自体を防止することができ、吐出口２１付近に残った液体化粧料が衣服等を汚すことも防止できる。更には気密を確保することもできるため、好ましい。
【００２１】
本発明のリップアプリケーターは、熱可塑性樹脂を射出成形することにより製作するのが適当であり、天然ゴム、合成ゴム、ポリウレタン等の弾性材料、シリコーン、エラストマー、熱可塑性樹脂としては、高密度ポリエチレン（ＨＤＰＥ）、低密度ポリエチレン（ＬＤＰＥ）、線状低密度ポリエチレン（ＬＬＤＰＥ）、エチレン−α−オレフィン共重合体、エチレン−酢酸ビニル共重合体（ＥＶＡ）、エチレン−メチルメタクリレート共重合体（ＥＭＭＡ）、ポリプロピレン等のポリオレフィン樹脂、ポリカーボネート樹脂（ＰＣ）、ＰＥＴ等のポリエステル樹脂、メタクリル酸エステル重合体等のアクリル樹脂、ポリアミド樹脂、ポリアセタール樹脂、アクリロニトリル−ブタジエン−スチレン共重合体（ＡＢＳ）、アクリロニトリル−スチレン共重合体（ＡＳ）等が使用できる、但し、全体、又は一部をアルミニウム、黄銅、鉄等の金属で製作することも可能である。
【００２２】
本発明のリップアプリケーターは、リップグロス、リップエッセンスなど唇に塗布する種々の液体化粧料を適用することができるが、特に、リップグロスに適用することが好ましい。
また、適用する液体化粧料としては、常温（２５℃）における粘度が1000〜100000Pa・sの液体である化粧料が好ましい。
【産業上の利用可能性】
【００２３】
本発明のリップアプリケーターは、上下の唇に対して、１動作で、同時に、かつ広い面ですばやく簡便に塗布することができ、且つコンパクトであり、リップグロス等の液体化粧料のリップアプリケーターとして、好適に使用することができる。
【符号の説明】
【００２４】
１  リップアプリケーター
２  塗布部
２１  吐出口
２２  凹状部
２３  挿入穴
２４  液溜まり部
２５  凸部
３  収納部
３１  首部
４  連結部
４１  板状部
４２  帯状部
４３  貫通穴
５  カバー
５１  中足部
【図１】
0005793329.tif 000002
【図２】
0005793329.tif 000003
【図３】
0005793329.tif 000004
【図４】
0005793329.tif 000005
【図５】
0005793329.tif 000006
【図６】
0005793329.tif 000007
【図７】
0005793329.tif 000008
【図８】
0005793329.tif 000009